(57)【要約】【課題】複数のチューナを備えたテレビジョン受信機において、任意の放送局の番組を視聴しているときに、同時に他の放送局のデータ放送を受信可能とし、その受信したデータ放送に含まれる情報から視聴者が必要とする情報を抽出して前記番組の映像と共に表示できるようにする。【解決手段】テレビジョン受信機１０は、ＢＳ／ＣＳデジタル放送を受信するためのチューナ部１３ａ，地上波デジタル放送を受信するためのチューナ部１３ｄ，キーワード情報１７ｂを記憶したＦＬＡＳＨＲＯＭ１７を有する。チューナ部１３ｄで任意のチャンネルの番組を視聴中に、チューナ部１３ａで他のチャンネルを順次もしくは固定受信し、順次もしくは固定受信されたチャンネルの番組に付随するデータ放送又は番組とは独立したデータ放送に含まれる情報のうち、キーワード情報１７ｂに関連した情報のみを抽出し、抽出した情報を前記視聴中の番組映像に重畳させて画面上に表示させる。【選択図】図１
2005204009.tif 000002
【特許請求の範囲】
【請求項１】
デジタル放送及びデータ放送を受信可能な複数のチューナを備えたテレビジョン受信機において、該テレビジョン受信機は、キーワード情報を記憶した記憶手段と、第１のチューナで任意のチャンネルの番組を視聴中に、第２のチューナで他のチャンネルを順次もしくは固定受信し、該順次もしくは固定受信されたチャンネルで提供されるデータ放送に含まれている情報のうち、前記記憶手段に記憶されているキーワード情報に関連した情報のみを抽出する情報抽出手段と、該抽出した情報を前記視聴中の番組映像に重畳させて画面上に表示させる表示制御手段とを備えていることを特徴とするテレビジョン受信機。
【請求項２】
請求項１に記載のテレビジョン受信機において、該テレビジョン受信機は、前記第２のチューナ側でデータ放送を受信するチャンネルをユーザに選択もしくは指定させるチャンネル指定手段と、前記記憶手段に記憶されているキーワード情報の中から、有効なキーワード情報を選択もしくは指定させるキーワード指定手段とを備えていることを特徴とするテレビジョン受信機。
【請求項３】
請求項１又は２に記載のテレビジョン受信機において、該テレビジョン受信機は、該テレビジョン受信機を遠隔操作するための操作入力手段を備え、該操作入力手段は、前記情報抽出手段により抽出された情報を画面上に表示もしくは消去するための操作ボタンを設けたことを特徴とするテレビジョン受信機。
【請求項４】
請求項１乃至３のいずれか１に記載のテレビジョン受信機において、前記表示制御手段は、前記情報抽出手段により抽出された情報を画面上に表示させる際に、予めユーザにより指定された表示形態に従って表示させることを特徴とするテレビジョン受信機。
【請求項５】
請求項１乃至４のいずれか１に記載のテレビジョン受信機において、前記チューナは、番組に付随したデータ放送もしくは番組とは独立したデータ放送を受信可能としたことを特徴とするテレビジョン受信機。
【請求項６】
デジタル放送及びデータ放送を受信可能な複数のチューナを備えたテレビジョン受信機を用いたテレビジョン受信方法において、第１のチューナで任意のチャンネルの番組を視聴中に、第２のチューナで他のチャンネルを順次もしくは固定受信し、該順次もしくは固定受信されたチャンネルで提供されるデータ放送に含まれている情報のうち、予め記憶手段に記憶されているキーワード情報に関連した情報のみを抽出する情報抽出ステップと、該抽出した情報を前記視聴中の番組映像に重畳させて画面上に表示させる表示制御ステップとを有することを特徴とするテレビジョン受信方法。
【請求項７】
請求項６に記載のテレビジョン受信方法において、前記第２のチューナ側でデータ放送を受信するチャンネルをユーザに選択もしくは指定させるチャンネル指定ステップと、前記記憶手段に記憶されているキーワード情報の中から、有効なキーワード情報を選択もしくは指定させるキーワード指定ステップとを有することを特徴とするテレビジョン受信方法。
【発明の詳細な説明】
【技術分野】
【０００１】
本発明は、テレビジョン受信機及びテレビジョン受信方法、より詳細には、複数のチューナを備え、同時に異なる放送を受信することができるテレビジョン受信機及びテレビジョン受信方法に関する。
【背景技術】
【０００２】
近年放送が開始されたＢＳ／ＣＳデジタル放送、地上波デジタル放送等の多チャンネルデジタル放送システムでは、放送されている番組の内容に連動したデータ放送や、番組とは独立したデータ放送が送出されている場合がある。このデータ放送によって送信されている様々な情報のうち、視聴者が必要とするデータ放送の情報のみを表示することができるデジタルテレビジョン受信機が開示されている（例えば、特許文献１参照）。
【特許文献１】特開２００２−２９０８５６号公報
【発明の開示】
【発明が解決しようとする課題】
【０００３】
しかしながら、上記特許文献１に開示されているデジタルテレビジョン受信機では、チューナが１つのため、視聴中の番組に付随したデータ放送に含まれている情報のみしか抽出することができない。従って、１つの放送局の番組を視聴しているときに、同時に他の放送局からデータ放送を受信することはできないため、視聴者が入手できる情報は限られたものとなる。例えば、視聴中の放送局以外の放送局から送信されるデータ放送において視聴者が必要とする情報が提供される場合があるが、視聴者はその情報を取得するためには、わざわざチャンネルを切り替えて上記データ放送の放送局を選局する必要がある。
【０００４】
また、チューナが１つのテレビジョン受信機の場合、選局中の番組に付随したデータ放送に含まれている情報のみしか抽出することができないため、選局されている放送局以外の放送局で、視聴者にとってより有用な情報が提供されている場合でも、視聴者はその有用情報を取得することができない。
【０００５】
本発明は、上述のごとき実情に鑑みてなされたものであり、複数のチューナを備えたテレビジョン受信機において、１つの放送局の番組を視聴しているときに、同時に他の放送局のデータ放送を受信可能とし、その受信したデータ放送に含まれる情報から視聴者が必要とする情報を抽出して前記番組の映像に重畳させて表示できるようにすること、を目的としてなされたものである。
【課題を解決するための手段】
【０００６】
上記課題を解決するために、第１の技術手段は、デジタル放送及びデータ放送を受信可能な複数のチューナを備えたテレビジョン受信機において、該テレビジョン受信機は、キーワード情報を記憶した記憶手段と、第１のチューナで任意のチャンネルの番組を視聴中に、第２のチューナで他のチャンネルを順次もしくは固定受信し、該順次もしくは固定受信されたチャンネルで提供されるデータ放送に含まれている情報のうち、前記記憶手段に記憶されているキーワード情報に関連した情報のみを抽出する情報抽出手段と、該抽出した情報を前記視聴中の番組映像に重畳させて画面上に表示させる表示制御手段とを備えていることを特徴としたものである。
ここで、テレビジョン受信機には、２画面表示用に同じ周波数帯のチューナを複数搭載したり、また地上デジタル用のチューナを別途搭載したものが市販されている。本発明では、このような複数チューナを備えたテレビジョン受信機を利用する。例えば、一方のチューナで地上波デジタル放送を視聴時に、他方のチューナが遊休回路を用いて、他のネットワーク（ＢＳデジタル放送又はＣＳデジタル放送）のチャンネルの番組や同じネットワークの他チャンネルの番組に付随したデータ放送、あるいは番組とは独立したデータ放送を受信することにより、多数のチャンネルで提供されるデータ放送から、視聴者が必要とする情報のみを抽出し、抽出した情報を上記地上波デジタル放送の番組映像に重畳させて表示するようにしたものである。
【０００７】
第２の技術手段は、第１の技術手段において、該テレビジョン受信機は、前記第２のチューナ側でデータ放送を受信するチャンネルをユーザに選択もしくは指定させるチャンネル指定手段と、前記記憶手段に記憶されているキーワード情報の中から、有効なキーワード情報を選択もしくは指定させるキーワード指定手段とを備えていることを特徴としたものである。
【０００８】
第３の技術手段は、第１又は第２の技術手段において、該テレビジョン受信機は、該テレビジョン受信機を遠隔操作するための操作入力手段を備え、該操作入力手段は、前記情報抽出手段により抽出された情報を画面上に表示もしくは消去するための操作ボタンを設けたことを特徴としたものである。
【０００９】
第４の技術手段は、第１乃至第３のいずれか１の技術手段において、前記表示制御手段は、前記情報抽出手段により抽出された情報を画面上に表示させる際に、予めユーザにより指定された表示形態に従って表示させることを特徴としたものである。
【００１０】
第５の技術手段は、第１乃至第４のいずれか１の技術手段において、前記チューナは、番組に付随したデータ放送もしくは番組とは独立したデータ放送を受信可能としたことを特徴としたものである。
【００１１】
第６の技術手段は、デジタル放送及びデータ放送を受信可能な複数のチューナを備えたテレビジョン受信機を用いたテレビジョン受信方法において、第１のチューナで任意のチャンネルの番組を視聴中に、第２のチューナで他のチャンネルを順次もしくは固定受信し、該順次もしくは固定受信されたチャンネルで提供されるデータ放送に含まれている情報のうち、予め記憶手段に記憶されているキーワード情報に関連した情報のみを抽出する情報抽出ステップと、該抽出した情報を前記視聴中の番組映像に重畳させて画面上に表示させる表示制御ステップとを有することを特徴としたものである。
【００１２】
第７の技術手段は、第６の技術手段において、前記第２のチューナ側でデータ放送を受信するチャンネルをユーザに選択もしくは指定させるチャンネル指定ステップと、前記記憶手段に記憶されているキーワード情報の中から、有効なキーワード情報を選択もしくは指定させるキーワード指定ステップとを有することを特徴としたものである。
【発明の効果】
【００１３】
複数のチューナを備えたテレビジョン受信機において、１つの放送局の番組を視聴しているときに、同時に他の放送局のデータ放送を受信可能とし、その受信したデータ放送に含まれる情報から視聴者が必要とする情報を抽出して前記番組の映像に重畳させて表示できるため、視聴者はチャンネルを切り替えることなく、所望の情報を取得することができると共に、必要な情報を見逃すことがなくなり、視聴者の利便性が向上する。
【発明を実施するための最良の形態】
【００１４】
図１は、本発明の一実施形態に係わる、ＢＳ／ＣＳ／地上波デジタル放送を含む複数ネットワークのデジタル放送信号を受信するための複数のチューナを搭載したテレビジョン受信機の内部構成例を示すブロック図で、図中、１０はテレビジョン受信機で、該テレビジョン受信機１０は、ＢＳ／ＣＳデジタル放送を受信するためのＢＳ／ＣＳ系アンテナ１１，地上波デジタル放送を受信するための地上系アンテナ１２，フロントエンド部１３，トランスポート部１４，ＭＰＥＧデコード部１５，ＣＰＵ１６，ＦＬＡＳＨＲＯＭ１７，ＲＡＭ１８，リモコン等からの操作入力を受け付ける入力インタフェイス（Ｉ／Ｆ）１９，リモコン２０，ポート２１，モデム２２を備えている。モデム２２はポート２１に装着され、モデム２２によりテレビジョン受信機１０は公衆回線２３に接続することができる。
【００１５】
さらに、フロントエンド部１３は、ＢＳ／ＣＳ系チューナ部１３ａ，ＢＳ／ＣＳ系復調回路１３ｂ，ＢＳ／ＣＳ系誤訂正部１３ｃ，地上系チューナ部１３ｄ，地上系復調回路１３ｅ，地上系誤訂正部１３ｆを有し、トランスポート部１４は、トランスポートデコータ１４ａを有し、ＭＰＥＧデコード部１５は、ＭＰＥＧデコーダ１５ａ，ＯＳＤ表示部１５ｂ，ビデオエンコーダ１５ｃ，音声ＤＡＣ１５ｄを有し、ＦＬＡＳＨＲＯＭ１７には、システム制御プログラム１７ａと，ユーザにより指定されたキーワード情報１７ｂ，チャンネル情報１７ｃ，及び表示形態情報１７ｄとが記憶される。
【００１６】
図１において、ＢＳ／ＣＳ系アンテナ１１で受信されたデジタル放送信号はＢＳ／ＣＳ系チューナ部１３ａに入力される。ＢＳ／ＣＳ系チューナ部１３ａでは視聴者の指示に従って所定のネットワーク（ＢＳデジタル放送又はＣＳデジタル放送）及びチャンネルが選局され、そのデジタル信号は、ＢＳ／ＣＳ系復調回路１３ｂ，ＢＳ／ＣＳ系誤訂正部１３ｃを経由して、トランスポートデコーダ１４ａにおいて音声信号，映像信号，データ信号に分けられる。更に、ＭＰＥＧデコーダ１５ａにおいて、映像信号・音声信号のデータ復調が行われ、映像信号はビデオエンコーダ１５ｃに接続された表示装置（図示せず）に適したビデオ信号に復調が行われる。また、音声信号は音声ＤＡＣ１５ｄに接続された表示装置もしくはオーディオ装置（図示せず）に適したオーディオ信号に復調が行われる。
【００１７】
同様に地上系アンテナ１２で受信されたデジタル放送信号は地上系チューナ部１３ｄに入力される。地上系チューナ部１３ｄでは視聴者の指示に従って所定のチャンネルが選局され、そのデジタル信号は、地上系復調回路１３ｅ，地上系誤訂正部１３ｆを経由して、トランスポートデコーダ１４ａにおいて音声信号，映像信号，データ信号に分けられる。更に、ＭＰＥＧデコーダ１５ａにおいて、映像信号・音声信号のデータ復調が行われ、映像信号はビデオエンコーダ１５ｃに接続された表示装置に適したビデオ信号に復調が行われる。また、音声信号は音声ＤＡＣ１５ｄに接続された表示装置もしくはオーディオ装置に適したオーディオ信号に復調が行われる。
【００１８】
トランスポートデコーダ１４ａの前段で、地上放送もしくは衛星（ＢＳデジタル／ＣＳデジタル）放送のどちらか、視聴者の選局する側の放送信号が選択される。
【００１９】
ＣＰＵ１６は、通常、リモコン２０からのユーザ操作によって入力Ｉ／Ｆ１９から送られるコントロール信号と、ＦＬＡＳＨＲＯＭ１７に記憶されたシステム制御プログラム１７ａにより管理・制御され、チューナ選局処理等のテレビジョン受信機１０全体の制御を司る。また、ＯＳＤ表示部１５ｂは、各種メニューや電子番組表などの表示制御を行い、この各種メニューや電子番組表などは、ＭＰＥＧデコーダ１５ａからの映像信号に重畳されて表示装置に表示される。
【００２０】
本実施形態によるテレビジョン受信機１０は、ＢＳ／ＣＳ系チューナ部１３ａあるいは地上系チューナ部１３ｄのどちらか一方のチューナの遊休時において、他のネットワーク（すなわち、現在視聴されていないネットワーク）のチャンネルの番組や、同じネットワーク（現在視聴中のネットワーク）の他チャンネルの番組に付随したデータ放送、あるいは番組とは独立したデータ放送を受信し、ＦＬＡＳＨＲＯＭ１７に記憶されているユーザ希望のチャンネル（チャンネル情報１７ｃ）やキーワード情報１７ｂを基に、受信したデータ放送からキーワード情報１７ｂに関連した情報のみを抽出してＯＳＤ表示部１５ｂに対して描画し、ＯＳＤ表示部１５ｂからの関連情報は、ＭＰＥＧデコーダ１５ａからの映像信号に重畳され表示装置に表示される。
【００２１】
データ放送の受信対象とするチャンネル指定に際し、テレビジョン受信機１０は、ＢＳ／ＣＳ系チューナ部１３ａあるいは地上系チューナ部１３ｄのどちらか一方のチューナでデータ放送を受信するチャンネルをユーザに選択もしくは指定させることができる。これは、チャンネル情報１７ｃに含まれる全チャンネルをデータ放送の受信対象としてもよいし、いくつかのチャンネルを選択して指定するようにしてもよい。
また、テレビジョン受信機１０は、ＦＬＡＳＨＲＯＭ１７に記憶されているキーワード情報１７ｂの中から、有効なキーワード情報を選択もしくは指定させることもできる。これは、キーワード情報１７ｂに含まれる全キーワードを指定してもよいし、いくつかのキーワードを選択して指定するようにしてもよい。
【００２２】
また、リモコン２０には、キーワード関連情報呼び出しボタン２０ａを備え、このキーワード関連情報呼び出しボタン２０ａの押下げ操作により、視聴者は、キーワード情報１７ｂに関連した情報を画面上に表示もしくは消去することができる。
【００２３】
また、テレビジョン受信機１０は、キーワード情報１７ｂに関連した情報を画面上に表示させる際に、予めユーザにより指定された表示形態に従って表示させることができる。すなわち、ＦＬＡＳＨＲＯＭ１７に記憶された表示形態情報１７ｄには、上記関連情報の画面上における表示位置や表示領域などの表示形態に係わる情報が含まれており、関連情報を画面上に表示させる際に、ＣＰＵ１６が表示形態情報１７ｄを参照し、表示形態情報１７ｄに従って当該関連情報を画面上に表示させることができる。
【００２４】
図２は、図１に示したテレビジョン受信機１０を用いたテレビジョン受信方法の一例を説明するためのフロー図である。本例では、地上系チューナ部１３ｄにより地上波デジタル放送を視聴時に、ＢＳ／ＣＳ系チューナ部１３ａによりＢＳデジタル放送のデータ放送を含む番組や独立したデータ放送番組を受信し、その受信した番組に付随するデータ放送や独立したデータ放送番組から、視聴者が必要とする情報のみを抽出して表示を行うまでのプロセスを代表例として説明する。
【００２５】
まず、テレビジョン受信機１０は、地上系チューナ部１３ｄにより地上波デジタル放送を視聴時に、遊休側、すなわちＢＳ／ＣＳ系チューナ部１３ａ側でＢＳデジタル放送の受信を開始する。ＢＳ／ＣＳ系チューナ部１３ａは、視聴者が予め登録したチャンネル情報１７ｃを参照しながら情報取得対象チャンネルの放送波を受信する（ステップＳ１）。このチャンネル情報１７ｃは、情報を取得したい所望のチャンネル情報からなり、視聴者が表示装置上のメニュー画面から入力してＦＬＡＳＨＲＯＭ１７に記憶される。
【００２６】
次に、ＣＰＵ１６は、ＦＬＡＳＨＲＯＭ１７に記憶されているキーワード情報１７ｂを読み出して（ステップＳ２）、上記ステップＳ１において受信したＢＳデジタル放送の番組に付随するデータ放送や独立したデータ放送番組に含まれる情報から、読み出したキーワード情報に関連する情報（キーワード関連情報）のみを抽出し、抽出したキーワード関連情報を一旦メモリ（ＦＬＡＳＨＲＯＭ１７又はＲＡＭ１８）に保存する（ステップＳ３）。本例ではキーワード情報１７ｂとして「天気予報」が指定されており、この「天気予報」に関連するキーワード関連情報（例えば、天気予報  栃木  ７／２５  はれ）がデータ放送から取得される。
【００２７】
次に、ＣＰＵ１６は、指定されたチャンネル情報１７ｃ及びキーワード情報１７ｂについて全部サーチしたかどうか判断し（ステップＳ４）、全部サーチされていない場合（ＮＯの場合）、上記ステップＳ１又はステップＳ２に戻り処理を繰り返す。また、上記ステップＳ４において、全部サーチされた場合（ＹＥＳの場合）、ユーザによりリモコン２０のキーワード関連情報呼び出しボタン２０ａが押されたかどうか判断し（ステップＳ５）、キーワード関連情報呼び出しボタン２０ａが押されていない場合（ＮＯの場合）、上記ステップＳ５で待機状態となる。また、上記ステップＳ５において、キーワード関連情報呼び出しボタン２０ａが押された場合（ＹＥＳの場合）、キーワード関連情報（天気予報  栃木  ７／２５  はれ）をＦＬＡＳＨＲＯＭ１７又はＲＡＭ１８から読み出して、視聴中の地上波デジタル放送の番組映像に重畳して表示する（ステップＳ６）。
【００２８】
本実施形態によれば、複数のチューナを搭載したテレビジョン受信機において、一方のチューナによりＢＳデジタル放送，ＣＳデジタル放送，地上波デジタル放送のいずれかを通常視聴しているときに、他方のチューナが遊休回路を用いて、他のネットワーク（現在視聴されていないネットワーク）のチャンネルの番組に付随したデータ放送や、同じネットワーク（現在視聴中のネットワーク）の他チャンネルの番組に付随したデータ放送、あるいは番組とは独立したデータ放送を受信することにより、多数のチャンネルのデータ放送に含まれる情報から、視聴者が必要とする情報のみを抽出し、その情報を視聴中の番組映像に重畳して表示することができるため、視聴者はチャンネルを切り替えることなく、所望の情報を取得することができると共に、必要な情報を見逃すことがなくなり、視聴者の利便性が向上する。
【図面の簡単な説明】
【００２９】
【図１】本発明の一実施形態に係わる、ＢＳ／ＣＳ／地上波デジタル放送を含む複数ネットワークのデジタル放送信号を受信するための複数のチューナを搭載したテレビジョン受信機の内部構成例を示すブロック図である。
【図２】図１に示したテレビジョン受信機を用いたテレビジョン受信方法の一例を説明するためのフロー図である。
【符号の説明】
【００３０】
１０…デジタル受信機、１１…ＢＳ／ＣＳ系アンテナ、１２…地上系アンテナ、１３…フロントエンド部、１３ａ…ＢＳ／ＣＳ系チューナ部、１３ｂ…ＢＳ／ＣＳ系復調回路、１３ｃ…ＢＳ／ＣＳ系誤訂正部、１３ｄ…地上系チューナ部、１３ｅ…地上系復調回路、１３ｆ…地上系誤訂正部、１４…トランスポート部、１４ａ…トランスポートデコーダ、１５…ＭＰＥＧデコード部、１５ａ…ＭＰＥＧデコーダ、１５ｂ…ＯＳＤ表示部、１５ｃ…ビデオエンコーダ、１５ｄ…音声ＤＡＣ、１６…ＣＰＵ、１７…ＦＬＡＳＨＲＯＭ、１７ａ…システム制御プログラム、１７ｂ…キーワード情報、１７ｃ…チャンネル情報、１７ｄ…表示形態情報、１８…ＲＡＭ、１９…入力Ｉ／Ｆ、２０…リモコン、２０ａ…キーワード関連情報呼び出しボタン、２１…ポート、２２…モデム、２３…公衆回線。
【図１】
2005204009.tif 000003
【図２】
2005204009.tif 000004